(57)【要約】  室外機は、底板と、熱交換器と、熱交換器に空気を供給するファンと、環状のベルマウスとを備えている。熱交換器は、底板において室外機の背面側に配置されている。ベルマウスは、底板において室外機の前面側に配置されている前面パネルの開口部に設けられている。ファンは、熱交換器の前面に位置し、ベルマウスは、ファンの前面に位置している。ベルマウスの下端部に、室外機の背面側に向かって下方向に傾斜する傾斜溝が形成されている。
2019186687.tif 000002
【特許請求の範囲】
【請求項１】
底板と、熱交換器と、前記熱交換器に空気を供給するファンと、環状のベルマウスとを備える空気調和機の室外機であって、前記熱交換器は、前記底板において前記室外機の背面側に配置され、前記ベルマウスは、前記底板において前記室外機の前面側に配置されている前面パネルの開口部に設けられ、前記ファンは、前記熱交換器の前面に位置し、前記ベルマウスは、前記ファンの前面に位置しており、
前記ベルマウスの下端部に、前記室外機の背面側に向かって下方向に傾斜する傾斜溝が形成されている空気調和機の室外機。
【請求項２】
前記ベルマウスは、前記ファンにより導かれる気体が流れ込む吸込口側に位置する上流湾曲部と、気体が流れ出る吹出口側に位置する下流湾曲部と、前記上流湾曲部と前記下流湾曲部とを接続する接続部とを有し、
前記傾斜溝は、前記接続部と前記上流湾曲部とに亘って形成されている請求項１に記載の空気調和機の室外機。
【請求項３】
前記底板において、前記室外機の背面側の端部に排水穴が形成されている請求項１又は２に記載の空気調和機の室外機。
【請求項４】
前記底板において、前記傾斜溝が臨む位置から前記排水穴へ水分を導く排水路が形成されている請求項３に記載の空気調和機の室外機。
【請求項５】
前記排水路の少なくとも一部は、前記室外機の前面側から背面側に向かって下方向に傾斜している請求項４に記載の空気調和機の室外機。
【請求項６】
前記排水路は、上方向に向かって盛り上がっている複数の土手部により形成されている請求項４又は５に記載の空気調和機の室外機。
【請求項７】
前記傾斜溝は、前記ベルマウスにおいて前記底板に最も近い最下端部に形成されている請求項１〜６のいずれか一項に記載の空気調和機の室外機。
【発明の詳細な説明】
【技術分野】
【０００１】
本発明は、空気調和機の室外機に関するものであり、ベルマウスの構成に関するものである。
【背景技術】
【０００２】
従来、空気調和機の室外機は、熱交換器において冷媒と外気との間で熱交換を行うよう構成されている。室外機の内部には、外気を熱交換器に供給するファンが設けられており、ファンの前面にはベルマウスが設けられている。熱交換器で冷媒と熱交換した外気は、ベルマウスを介して室外機の外方に排気される。【０００３】
特許文献１に記載の室外機のベルマウスは、中央が開口したベル形状の開口部と、室外機のケーシングの前面に固定される平面部とを有している。このベルマウスの開口部は、空気の流通方向の上流側に位置するＲ部と、空気の流通方向の下流側に位置するＲ部と、これらのＲ部の間に位置する直線部とを有しており、全体として円環状に形成されている。
【先行技術文献】
【特許文献】
【０００４】
【特許文献１】特開２０１３−９６６２２号公報
【発明の概要】
【発明が解決しようとする課題】
【０００５】
室外機が寒冷地で使用される場合、室外機の天板上に雪が積もることがあり、気温の上昇と共に天板上の雪が解け、その雪解け水が室外機の上部から前面パネルに流れてくる場合がある。また、寒冷地に限ること無く、降雨時に雨が室外機の前面側から吹き込む場合がある。このような場合、前面パネルに取り付けられているベルマウスの開口部に水が流れ込むことになる。そうすると、特許文献１に記載のベルマウスにおいては、水は開口部の縁に沿って下方へ流れていき、ベルマウスの下端部に水が集中し、貯留する。【０００６】
寒冷地においては、ベルマウスの下端部に貯留した水が外気により凍結し、その後、凍結部にさらに水が付着し、氷が成長する場合がある。ベルマウスの下端部で氷の成長が進むと、ファンの回転時にファンと氷が接触し、異音の発生、及びファンの破損を引き起こす可能性がある。また、ベルマウスの下端部に水が貯留している状態が続くと、室外機のケーシング、及び室外機の収容物に悪影響を及ぼす可能性がある。このように、ベルマウスの下端部における水分の貯留は、室外機の信頼性を低める要因となっていた。【０００７】
本発明は、上記のような課題を解決するためになされたものであり、ベルマウスの下端部における水分の貯留を抑制し、信頼性の高い空気調和機の室外機を提供することを目的とする。
【課題を解決するための手段】
【０００８】
本発明に係る空気調和機の室外機は、底板と、熱交換器と、前記熱交換器に空気を供給するファンと、環状のベルマウスとを備える空気調和機の室外機であって、前記熱交換器は、前記底板において前記室外機の背面側に配置され、前記ベルマウスは、前記底板において前記室外機の前面側に配置されている前面パネルの開口部に設けられ、前記ファンは、前記熱交換器の前面に位置し、前記ベルマウスは、前記ファンの前面に位置しており、前記ベルマウスの下端部に、前記室外機の背面側に向かって下方向に傾斜する傾斜溝が形成されているものである。
【発明の効果】
【０００９】
本発明に係る空気調和機の室外機によると、室外機の前面側から水分が侵入した場合であっても、ベルマウスの下端部に水分が貯留することがない。従って、信頼性の高い室外機を得ることができる。
【図面の簡単な説明】
【００１０】
【図１】本発明の実施の形態に係る室外機の分解斜視図である。
【図２】本発明の実施の形態に係る室外機の前面パネルの正面図である。
【図３】本発明の実施の形態に係る室外機のベルマウスの断面図である。
【図４】本発明の実施の形態に係る室外機のベルマウスの下端部の拡大断面図である。
【図５】本発明の実施の形態に係る室外機の内部を背面側から示す図である。
【図６】本発明の実施の形態に係る室外機の底板の斜視図である。
【図７】本発明の実施の形態に係る室外機の底面の平面図である。
【図８】図５において符号Ｃで示す部分を拡大して示す図である。
【図９】図７の線Ｄ−Ｄ矢視断面図である。
【発明を実施するための形態】
【００１１】
以下に、本発明における空気調和機の室外機の実施の形態を図面に基づいて詳細に説明する。尚、以下に説明する実施の形態によって本発明が限定されるものではない。また、以下の図面においては各構成部材の大きさ及び形状は実際の装置とは異なる場合がある。
【００１２】
実施の形態．
図１は、本発明の実施の形態に係る室外機の分解斜視図である。図２は、本発明の実施の形態に係る室外機の前面パネルの正面図である。室外機１は、底板１０と、前面パネル２０と、側面パネル３０と、天板パネル４０と、熱交換器５０とを有している。底板１０、前面パネル２０、側面パネル３０、及び天板パネル４０により、室外機１の外郭が形成されている。底板１０は、室外機１の底面に位置している。前面パネル２０は、室外機１の前面に位置する前面部２０Ａと、室外機１の左側面に位置する左側面部２０Ｂとを有している。側面パネル３０は、室外機１の右側面に位置している。天板パネル４０は室外機の上面に位置している。前面パネル２０と側面パネル３０は底板１０に固定されている。熱交換器５０はＬ字型を呈しており、室外機１の背面及び左側面に位置するよう、底板１０に配置されている。
【００１３】
室外機１の内部は、仕切り板６０により、送風室７０と機械室８０とに区画されている。送風室７０は、室外機１の左側に位置し、機械室８０は室外機１の右側に位置している。送風室７０には、ファン７１が設けられている。ファン７１は、熱交換器５０の前方に位置している。ファン７１が回転することにより、外気すなわち気体が熱交換器５０に供給される。機械室８０には圧縮機８１が収容されている。圧縮機８１は底板１０に取り付けられている。圧縮機８１の上部に電気品箱８２が設置されている。前面パネル２０の前面部２０Ａには、開口部２１が形成されており、開口部２１にベルマウス９０が固定されている。ベルマウス９０は、全体として環状の形状を有している。ベルマウス９０の前面側にはファンガード７２が設けられている。図２では、ベルマウス９０の下端部において室外機１の底板１０に最も近い位置にある最下端部を符号９０Ｃで示している。
【００１４】
図３は、本発明の実施の形態に係る室外機のベルマウスの断面図である。図３は、ベルマウス９０を図２の線Ａ−Ａで示す位置で切断し、図３中の矢印の方向から示している。図３において、図１及び図２に示すファン７１が駆動しているときの空気の流れを白抜き矢印で示している。ベルマウス９０に空気が流れ込む吸込口９０Ａは、図１に示すファン７１に対向し、ベルマウス９０から空気が流れ出る吹出口９０Ｂは、図１に示すファンガード７２に対向している。すなわち、吸込口９０Ａは室外機１の背面側に位置し、吹出口９０Ｂは室外機１の前面側に位置している。ベルマウス９０は、上流湾曲部９１と、下流湾曲部９２と、接続部９３とを有している。
【００１５】
上流湾曲部９１は、吸込口９０Ａ側、すなわち室外機１の背面側に位置している。上流湾曲部９１は、吸込口９０Ａから吹出口９０Ｂに向かって径が次第に小さくなるよう、湾曲している。換言すると、上流湾曲部９１は、室外機１の背面側から前面側に向かって径が次第に小さくなっている。下流湾曲部９２は、吹出口９０Ｂ側、すなわち室外機１の前面側に位置している。下流湾曲部９２は、吸込口９０Ａから吹出口９０Ｂに向かって径が次第に大きくなるよう、湾曲している。換言すると、下流湾曲部９２は、室外機１の背面側から前面側に向かって径が次第に大きくなっている。接続部９３は、上流湾曲部９１と下流湾曲部９２との間に位置しており、上流湾曲部９１において径が最も小さい部分と下流湾曲部９２において径が最も小さい部分とを接続している。接続部９３の径は一定である。ベルマウス９０は、接続部９３における室外機１の前後方向の両端部から、吸込口９０Ａと吹出口９０Ｂに向けて径が徐々に大きくなっている。
【００１６】
図４は、本発明の実施の形態に係る室外機のベルマウスの下端部の拡大断面図である。図４は、図３において符号Ｂで示す部分を拡大して示している。図５は、室外機１の内部を背面側から示す斜視図である。図５において、仕切り板６０、ファン７１、圧縮機８１、及び電気品箱８２等は省略されている。図４及び図５に示すように、ベルマウス９０の下端部には傾斜溝９４が形成されている。傾斜溝９４は、上述した図２中、符号９０Ｃで示すベルマウス９０の最下端部において、接続部９３と上流湾曲部９１に亘って形成されている。傾斜溝９４は、接続部９３の下流湾曲部９２と連続している側の端部から、上流湾曲部９１の吸込口９０Ａ側の端部に向かって、ベルマウス９０の径方向の外方へ延びる方向、すなわち下方向へ向かって傾斜している。このように、傾斜溝９４は、ベルマウス９０の底板１０に最も近い下端部である最下端部９０Ｃにおいて、室外機１の背面側に向かって下方向に傾斜するよう、形成されている。
【００１７】
図６は、本発明の実施の形態に係る室外機の底板の斜視図である。図７は、本発明の実施の形態に係る室外機の底面の平面図である。図６及び図７は、底板１０を室外機１の内側から示している。底板１０は薄板状の部材であり、矩形を有している。底板１０の縁部には、フランジ１１、フランジ１２、フランジ１３、及びフランジ１４が上方向に向かって形成されている。フランジ１１とフランジ１２は平行に延びている。フランジ１３とフランジ１４は、フランジ１１及びフランジ１２と交差し、かつ平行に延びている。フランジ１１及びフランジ１２は、フランジ１３及びフランジ１４よりも長い。
【００１８】
図５に示すように、フランジ１１は、室外機１の前面側において室外機１の左右方向に延びている。フランジ１２は、室外機１の背面側において室外機１の左右方向に延びている。フランジ１３は、室外機１の左端部において室外機１の前後方向に延びている。フランジ１４は、室外機１の右端部において室外機１の前後方向に延びている。すなわち、底板１０の長手方向は室外機１の左右方向に一致し、底板１０の短手方向は室外機１の前後方向に一致している。
【００１９】
底板１０のフランジ１２が形成されている側の端部において、底板１０の長手方向の略中央には、円形の排水穴１５が形成されている。図５に示すように、排水穴１５は室外機１の背面側の端部の略中央に位置している。
【００２０】
底板１０には、第１土手部１０１、第２土手部１０２、第３土手部１０３、第４土手部１０４、及び第５土手部１０５が形成されている。第１土手部１０１、第２土手部１０２、第３土手部１０３、第４土手部１０４、及び第５土手部１０５は、上方向に向かって盛り上がっている。
【００２１】
第１土手部１０１は、フランジ１１が形成されている側の側端部において底板１０の長手方向に沿って延びている。第１土手部１０１は、底板１０の長手方向の中央よりややフランジ１３側寄りに位置している。第２土手部１０２は、第１土手部１０１のフランジ１３側に間隔をおいて位置している。第２土手部１０２は、第１土手部１０１のフランジ１３側の端部と対向する位置から底板１０の短手方向の略中央まで延びている。第３土手部１０３は、第１土手部１０１に対してフランジ１２側に間隔をおいて位置している。第３土手部１０３は、第２土手部１０２のフランジ１２側の端部から、フランジ１４が位置する方向に向かって、底板１０の長手方向に沿って延びている。第３土手部１０３のフランジ１４側の端部１０３Ａは、底板１０の長手方向において、排水穴１５よりもフランジ１３側に位置している。
【００２２】
第４土手部１０４は、第３土手部１０３に対して、フランジ１２側に位置している。第４土手部１０４は、第３土手部１０３と平行に延びる壁部１０４Ａと、壁部１０４Ａと交差し、かつ底板１０の短手方向に延びる壁部１０４Ｂとを有している。排水穴１５は、壁部１０４Ｂのフランジ１２側の延長上に位置している。第５土手部１０５は、第１土手部１０１に対してフランジ１２側に位置している。第５土手部１０５は、第１土手部１０１に沿ってフランジ１３側に突出している突部１０５Ａを有している。突部１０５Ａは、第３土手部１０３の端部１０３Ａよりもややフランジ１１寄りに位置している。突部１０５Ａは、底板１０の短手方向において、第１土手部１０１と第３土手部１０３の間に位置している。突部１０５Ａは、底板１０の長手方向において、排水穴１５と略同じ位置に位置している。また、第５土手部１０５は、突部１０５Ａの基部から底板１０の短手方向に延びる壁部１０５Ｂを有している。
【００２３】
第３土手部１０３及び第４土手部１０４と第５土手部１０５とは対向している。第５土手部１０５の突部１０５Ａと第３土手部１０３の端部１０３Ａは、底板１０の短手方向にオフセットした状態で対向し、第４土手部１０４の壁部１０４Ｂと第５土手部１０５の壁部１０５Ｂは対向している。
【００２４】
図８は、図５において符号Ｃで示す部分を拡大して示す図である。ベルマウス９０の傾斜溝９４のフランジ１２側の端部、すなわち傾斜溝９４の吸込口９０Ａの端部は、第１土手部１０１と第２土手部１０２の間に形成されている谷部に臨んでいる。
【００２５】
図６、図７、及び図８を参照しながら、本実施の形態の排水路について説明する。底板１０には、フランジ１１において、傾斜溝９４の室外機１の背面側の端部が臨んでいる位置から、排水穴１５に至る排水路１１０が形成されている。排水路１１０は、底板１０の長手方向に延びる横経路１１０Ａと、底板１０の短手方向に延びる縦経路１１０Ｂと、横経路１１０Ａと縦経路１１０Ｂを接続する接続路１１０Ｃとを有している。横経路１１０Ａは、第１土手部１０１のフランジ１２側の壁部１０１Ａと、第２土手部１０２のフランジ１４側の壁部１０２Ａと、第３土手部１０３のフランジ１１側の壁部１０３Ｂとで形成されている。縦経路１１０Ｂは、第４土手部１０４のフランジ１４側の壁部１０４Ｂと、第５土手部１０５のフランジ１３側の壁部１０５Ｂとで形成されている。接続路１１０Ｃは、第３土手部１０３の端部１０３Ａと、第４土手部１０４のフランジ１１側の壁部１０４Ａと、第５土手部１０５の突部１０５Ａとで形成されている。
【００２６】
図９は、図７の線Ｄ−Ｄ矢視断面図である。縦経路１１０Ｂは、接続路１１０Ｃとの接続部分から排水穴１５に向けて下方向に傾斜している。すなわち、縦経路１１０Ｂは、室外機１の前面から背面に向かって下方向に傾斜している。
【００２７】
このように、本実施の形態では、底板１０において上述の複数の土手部により排水路１１０が形成されている。そして、排水路１１０の少なくとも一部は、排水穴１５に向かって下方向に傾斜している。
【００２８】
本実施の形態の作用について説明する。水分が前面パネル２０に流れて来た場合、水分は図２に示すベルマウス９０の縁部に沿って下方へ流れ、最下端部９０Ｃに集中する。最下端部９０Ｃに集中した水分は、図４において矢印で示すように傾斜溝９４に沿って吸込口９０Ａの側へ流れ、図５及び図８に示す底板１０の第１土手部１０１と第２土手部１０２との間に導かれる。第１土手部１０１と第２土手部１０２との間に導かれた水分は、図６及び図８において矢印で示すように、排水路１１０の横経路１１０Ａを流れ、次いで接続路１１０Ｃを流れ、縦経路１１０Ｂに達する。縦経路１１０Ｂは図９に示すように傾斜しているため、縦経路１１０Ｂに達した水分は、図９において矢印で示すように流れ、排水穴１５に導かれる。排水穴１５に導かれた水分は、排水穴１５を介して室外機１の外部に排出される。
【００２９】
本実施の形態によれば、ベルマウス９０に水分が流れて来ても、水分は傾斜溝９４に沿って流れ、最下端部９０Ｃに貯留することがない。従って、室外機１が寒冷地で使用される場合であっても、ベルマウス９０の下部において氷が成長することがない。その結果、ファン７１の回転時にファン７１と氷が接触することによる異音の発生及びファン７１の破損が防止され、室外機１の信頼性が向上する。
【００３０】
本実施の形態によれば、傾斜溝９４により導かれる水分は、排水路１１０及び排水穴１５を介して室外機１の外部に排出される。従って、ベルマウス９０の下部及び底板１０に水分が貯留することがない。そのため、底板１０及び室外機１の収容物に悪影響を及ぼすことが防止され、室外機１の信頼性が向上する。
【００３１】
さらに、本実施の形態では、傾斜溝９４を、ベルマウス９０の最下端部から室外機１の背面側に向かって下方向に傾斜させている。換言すると、傾斜溝９４は、室外機１の内方に向かって傾斜している。そのため、水分を室外機１の底板１０の排水穴１５に集中させることができ、水分が不用意に室外機１の周囲に飛散することがない。従って、室外機１から排出される水分によって室外機１の周囲を汚すことがない。
【符号の説明】
【００３２】
１  室外機、１０  底板、１１  フランジ、１２  フランジ、１３  フランジ、１４  フランジ、１５  排水穴、２０  前面パネル、２０Ａ  前面部、２０Ｂ  左側面部、２１  開口部、３０  側面パネル、４０  天板パネル、５０  熱交換器、６０  仕切り板、７０  送風室、７１  ファン、７２  ファンガード、８０  機械室、８１  圧縮機、８２  電気品箱、９０  ベルマウス、９０Ａ  吸込口、９０Ｂ  吹出口、９０Ｃ  最下端部、９１  上流湾曲部、９２  下流湾曲部、９３  接続部、９４  傾斜溝、１０１  第１土手部、１０１Ａ  縁部、１０２  第２土手部、１０２Ａ  縁部、１０３  第３土手部、１０３Ａ  端部、１０３Ｂ  縁部、１０４  第４土手部、１０４Ａ  縁部、１０４Ｂ  縁部、１０５  第５土手部、１０５Ａ  突部、１０５Ｂ  縁部、１１０  排水路、１１０Ａ  横経路、１１０Ｂ  縦経路、１１０Ｃ  接続路。
【図１】
2019186687.tif 000003
【図２】
2019186687.tif 000004
【図３】
2019186687.tif 000005
【図４】
2019186687.tif 000006
【図５】
2019186687.tif 000007
【図６】
2019186687.tif 000008
【図７】
2019186687.tif 000009
【図８】
2019186687.tif 000010
【図９】
2019186687.tif 000011
【手続補正書】
【提出日】令和2年7月14日(2020.7.14)
【手続補正１】
【補正対象書類名】明細書
【補正対象項目名】０００８
【補正方法】変更
【補正の内容】
【０００８】
本発明に係る空気調和機の室外機は、底板と、熱交換器と、前記熱交換器に空気を供給するファンと、環状のベルマウスとを備える空気調和機の室外機であって、前記熱交換器は、前記底板において前記室外機の背面側に配置され、前記ベルマウスは、前記底板において前記室外機の前面側に配置されている前面パネルの開口部に設けられ、前記ファンは、前記熱交換器の前面に位置し、前記ベルマウスにおいて前記ファンにより導かれる空気が流れ込む吸込口は前記室外機の背面側に位置し、前記ベルマウスにおいて空気が流れ出る吹出口は前記室外機の前面側に位置しており、前記ベルマウスの下端部に、前記室外機の背面側にのみ向かって下方向に傾斜する傾斜溝が形成され、前記底板において、前記室外機の背面側の端部に排水穴が形成され、前記排水穴へ水分を導く排水路が形成され、前記排水路に前記傾斜溝の背面側の端部が臨んでいるものである。
【手続補正２】
【補正対象書類名】特許請求の範囲
【補正対象項目名】全文
【補正方法】変更
【補正の内容】
【特許請求の範囲】
【請求項１】
底板と、熱交換器と、前記熱交換器に空気を供給するファンと、環状のベルマウスとを備える空気調和機の室外機であって、前記熱交換器は、前記底板において前記室外機の背面側に配置され、前記ベルマウスは、前記底板において前記室外機の前面側に配置されている前面パネルの開口部に設けられ、前記ファンは、前記熱交換器の前面に位置し、前記ベルマウスにおいて前記ファンにより導かれる空気が流れ込む吸込口は前記室外機の背面側に位置し、前記ベルマウスにおいて空気が流れ出る吹出口は前記室外機の前面側に位置しており、
前記ベルマウスの下端部に、前記室外機の背面側にのみ向かって下方向に傾斜する傾斜溝が形成され、
前記底板において、前記室外機の背面側の端部に排水穴が形成され、前記排水穴へ水分を導く排水路が形成され、
前記排水路に前記傾斜溝の背面側の端部が臨んでいる
空気調和機の室外機。
【請求項２】
前記ベルマウスは、前記吸込口側に位置する上流湾曲部と、前記吹出口側に位置する下流湾曲部と、前記上流湾曲部と前記下流湾曲部とを接続する接続部とを有し、
前記傾斜溝は、前記接続部と前記上流湾曲部とに亘って形成されている請求項１に記載の空気調和機の室外機。
【請求項３】
前記傾斜溝は、前記ベルマウスにおいて前記底板に最も近い最下端部に形成されている請求項１又は２に記載の空気調和機の室外機。
【国際調査報告】
2019186687.tif 000012
2019186687.tif 000013
2019186687.tif 000014
2019186687.tif 000015